(57)【要約】【課題】加熱炉抽出ラインと圧延パスラインとが異なっていても、コンパクトなスペースで加熱炉抽出ビレットを圧延パスラインへ導くことができ、かつ安定した搬送が行える方法および装置を提供する。【解決手段】加熱炉抽出ラインに並列に設けられた複数の抽出ラインからそれぞれビレットが抽出され、一定の圧延パスラインに搬送される圧延設備において、前記加熱炉内で最下流に位置するビレットから順に、該ビレットを前方に押し出す工程と、該前方に押し出されたビレットの前端を、前記加熱炉の出側に設けられ前記圧延パスラインの直角方向に移動可能なピンチロールにより把持する工程と、該把持されたビレットを前記圧延パスラインの直角方向に移動させることにより前記圧延パスラインに一致させる工程と、前記ビレットを前方に搬送する工程とを繰返してなることを特徴とする加熱炉からのビレット抽出方法およびその装置である。【選択図】          図１
2004292910.tif 000002
【特許請求の範囲】
【請求項１】
加熱炉抽出ラインに並列に設けられた複数の抽出ラインからそれぞれビレットが抽出され、一定の圧延パスラインに搬送される圧延設備において、前記加熱炉内で最下流に位置するビレットから順に、該ビレットを前方に押し出す工程と、該前方に押し出されたビレットの前端を、前記加熱炉の出側に設けられ前記圧延パスラインの直角方向に移動可能なピンチロールにより把持する工程と、該把持されたビレットを前記圧延パスラインの直角方向に移動させることにより前記圧延パスラインに一致させる工程と、前記ビレットを前方に搬送する工程とを繰返してなることを特徴とする加熱炉からのビレット抽出方法。
【請求項２】
圧延設備が連続圧延設備であるとき、溶接機の入側において加熱炉の各抽出ラインから抽出されたビレットを圧延パスラインに一致させられるようにしたことを特徴とする請求項１に記載の加熱炉からのビレット抽出方法。
【請求項３】
加熱炉内で最下流に位置するビレットが、圧延パスライン上にあることを特徴とする請求項１または２に記載の加熱炉からのビレット抽出方法。
【請求項４】
加熱炉抽出ラインに並列に設けられた複数の抽出ラインからそれぞれビレットが抽出され、一定の圧延パスラインに搬送される圧延設備において、前記加熱炉の出側に設けられたピンチロールを、前記圧延パスラインの直角方向に移動可能とすることにより、前記加熱炉の各抽出ラインから抽出されたビレットを前記圧延パスラインに一致させられるようにしたことを特徴とする加熱炉からのビレット抽出装置。
【請求項５】
圧延設備が連続圧延設備であるとき、溶接機の入側において加熱炉の各抽出ラインから抽出されたビレットを圧延パスラインに一致させられるようにしたことを特徴とする請求項４に記載の加熱炉からのビレット抽出装置。
【請求項６】
加熱炉内で最下流に位置するビレットが、圧延パスライン上にあることを特徴とする請求項４または５に記載の加熱炉からのビレット抽出装置。
【発明の詳細な説明】
【０００１】
【発明の属する技術分野】
本発明は、加熱炉抽出ラインと圧延パスラインとが一致していない圧延設備における加熱炉からのビレット抽出方法および装置に関する。
【０００２】
【従来の技術】
従来、圧延パスラインが一定の圧延設備において、加熱炉抽出ラインが圧延パスラインと異なる場合、加熱炉〜圧延機列間に設置されるサイドガイド間隔を調整することによって、加熱炉抽出ビレットを圧延パスラインに合わせるように搬送していた。
【０００３】
また、このような圧延設備として連続圧延設備を導入する場合には、加熱炉〜溶接機間のスペースを十分にとって、この間のサイドガイド調整により加熱炉抽出ラインと圧延パスラインとを合わせていた。したがって、加熱炉〜溶接機間に十分なスペースがとれない場合などには、加熱炉抽出ラインを一定とするような特殊な改造を施す必要があった（例えば、特許文献１参照。）。
【０００４】
【特許文献１】
特開２００１−０３８４０５号公報
【０００５】
【発明が解決しようとする課題】
前述のように、加熱炉〜圧延機列間のスペースが十分にとれなければ、加熱炉抽出ラインと圧延パスラインとを無理なく一致させることができないため、ビレットとサイドガイドとの擦れによる疵の発生や、ビレット搬送状態の不安定化等の問題が生じる。
【０００６】
また、圧延設備として連続圧延設備を導入するには、溶接機の入側でビレットの搬送ラインと圧延パスラインとを一致させる必要があり、十分な設備導入スペースがないと実現できない。
【０００７】
しかしながら、一方では、前述の従来技術のように加熱炉と圧延機列もしくは溶接機との間に十分なスペースをとると、加熱炉抽出ビレットの搬送経路が長くなることから、ビレットの温度低下も問題となる。
【０００８】
本発明は、上述のような問題点の解決を図ろうとするもので、加熱炉抽出ラインと圧延パスラインとが異なっていても、コンパクトなスペースで加熱炉抽出ビレットを圧延パスラインへ導くことができ、かつ安定した搬送が行える方法および装置を提供することを目的としている。
【０００９】
【課題を解決するための手段】
このような目的を達成するため、本発明は次のような構成を有する。
［１］加熱炉抽出ラインに並列に設けられた複数の抽出ラインからそれぞれビレットが抽出され、一定の圧延パスラインに搬送される圧延設備において、前記加熱炉内で最下流に位置するビレットから順に、該ビレットを前方に押し出す工程と、該前方に押し出されたビレットの前端を、前記加熱炉の出側に設けられ前記圧延パスラインの直角方向に移動可能なピンチロールにより把持する工程と、該把持されたビレットを前記圧延パスラインの直角方向に移動させることにより前記圧延パスラインに一致させる工程と、前記ビレットを前方に搬送する工程とを繰返してなることを特徴とする加熱炉からのビレット抽出方法。
［２］圧延設備が連続圧延設備であるとき、溶接機の入側において加熱炉の各抽出ラインから抽出されたビレットを圧延パスラインに一致させられるようにしたことを特徴とする前項［１］に記載の加熱炉からのビレット抽出方法。
［３］加熱炉内で最下流に位置するビレットが、圧延パスライン上にあることを特徴とする前項［１］または［２］に記載の加熱炉からのビレット抽出方法。
［４］加熱炉抽出ラインに並列に設けられた複数の抽出ラインからそれぞれビレットが抽出され、一定の圧延パスラインに搬送される圧延設備において、前記加熱炉の出側に設けられたピンチロールを、前記圧延パスラインの直角方向に移動可能とすることにより、前記加熱炉の各抽出ラインから抽出されたビレットを前記圧延パスラインに一致させられるようにしたことを特徴とする加熱炉からのビレット抽出装置。
［５］圧延設備が連続圧延設備であるとき、溶接機の入側において加熱炉の各抽出ラインから抽出されたビレットを圧延パスラインに一致させられるようにしたことを特徴とする前項［４］に記載の加熱炉からのビレット抽出装置。
［６］加熱炉内で最下流に位置するビレットが、圧延パスライン上にあることを特徴とする前項［４］または［５］に記載の加熱炉からのビレット抽出装置。
【００１０】
上述のように、加熱炉の出側に配置したピンチロールを、圧延パスラインの直角方向に移動可能なものとすることにより、省スペースでかつ安定したビレット搬送が実現できる。
【００１１】
特に連続圧延設備を導入する場合、加熱炉〜溶接機間という短い間隔でのパスライン合わせが必要となるが、本発明の移動式ピンチロールを導入することによりこのようなパスライン合わせも容易になる。
【００１２】
なお、図４に示すように、加熱炉から抽出されるビレットの加熱炉内での配列は、最下流のものが圧延パスライン上にあり、２番目以降のものが上流の供給側に配置されているのが望ましい。このように配置することにより、ビレットどうし、ないしはビレットと加熱炉内壁とが擦れ合わないようにし、ビレットの疵の発生や加熱炉内壁の損傷を防ぐことができる。
【００１３】
【発明の実施の形態】
以下、本発明の実施形態を図面に基づいて説明する。
【００１４】
図１は、本発明の一実施形態を示す説明図である。
【００１５】
図１に示すように、加熱炉１において十分加熱されたビレット２はプッシャ３によって加熱炉１から抽出され、ピンチロール４によってくわえ込まれて所定の位置まで搬送された後、ピンチロール４に備えられたピンチ用アクチュエータ５によりピンチされる。このとき、ビレット２の先端位置はＨＭＤのようなセンサ６で検出してもよいが、連続圧延設備を導入しようとしているプラントでは、ディスアピアリングストップのように機械的にビレット搬送を停止させることによってビレット先端が正確に検出され、溶接機への搬送制御を簡素化できる。
【００１６】
ピンチロール４によってくわえ込まれたビレット２は、そのままシフト用アクチュエータ７により圧延パスラインまでシフトされ、位置合わせが行われる。このとき、ピンチロールシフトに用いられるアクチュエータ７としては、油圧、空気圧ないしは電動シリンダ等任意のものを用いることができる。また、図１ではシフトされるピンチロール４本体の移動装置を車輪およびレールとしているが、リニアガイド等を用いてもよい。なお、このピンチロール４は、水平ロールどうしまたは垂直ロールどうしで構成することができるが、水平ロールと垂直ロールの組み合わせで構成してもよい。
【００１７】
従来は、図１の２点鎖線で示すように、加熱炉〜圧延機列間に緩やかな傾斜をつけたサイドガイド８を配置して異なる加熱炉抽出ラインを圧延パスラインに合わせていたが、本発明の移動式ピンチロールを設置することにより省スペース化が可能となる。したがって、この余剰スペースを利用して連続圧延設備を導入することも可能となる。
【００１８】
図２および図３は、本発明の一実施例を示す説明図である。
【００１９】
この例では加熱炉１のそれぞれ異なる抽出ラインから３本のビレットが抽出される例を示すが、このビレット本数は任意でよい。
【００２０】
この例に示すように、はじめに加熱炉抽出ラインにピンチロール４を合わせ、プッシャ３等により搬出されたビレット２をセンサ６で検出し、ピンチする。ピンチロールシフト機構によりビレット２の搬送ラインと圧延パスラインとが合わされた後、ビレット２はピンチロール４により搬出され、圧延機へと搬入される。
【００２１】
このとき、図４（ｂ）に示すように、抽出される１本目のビレットを圧延パスライン上に、また２本目以降をその上流側に配置すると、ビレットどうしの擦れによる疵や加熱炉内壁の損傷を防ぐことができる。
【００２２】
【発明の効果】
以上に述べた本発明によれば、移動式ピンチロールを加熱炉の出側に配置することにより、省スペース化、安定したビレット搬送、製品疵減少等の効果が得られる。また、こうして得られたスペースに連続圧延設備を適用することで更なる高能率圧延操業が可能となる。
【図面の簡単な説明】
【図１】本発明の一実施形態を示す説明図
【図２】本発明の一実施例を示す説明図
【図３】本発明の一実施例を示す説明図
【図４】本発明の適用形態を示す説明図
【符号の説明】
１    加熱炉
２    ビレット
３    プッシャ
４    ピンチロール
５    ピンチ用アクチュエータ
６    センサ
７    シフト用アクチュエータ
８    サイドガイド
【図１】
2004292910.tif 000003
【図２】
2004292910.tif 000004
【図３】
2004292910.tif 000005
【図４】
2004292910.tif 000006